(57)【要約】【課題】火災や事故・事件等を発見したときに、近隣や遠隔地に異常を報知することができる消火器を提供する。【解決手段】消火器に、電源部１４と、この電源部１４に接続されたスイッチ１１と、このスイッチ１１のオン時に警報を発する警報発信手段１６とを設けてなることを特徴とする。【選択図】      図１
2004351047.tif 000002
【特許請求の範囲】
【請求項１】
消火器に、電源部と、この電源部に接続されたスイッチと、このスイッチのオン時に警報を発する警報発信手段とを設けてなることを特徴とする消火器。
【請求項２】
前記スイッチが、消火薬剤を放射させるレバー用のロックを解除する安全栓と連動するように取り付けられ、この安全栓を抜いたときに前記スイッチがオンになる警報発信手段を有することを特徴とする請求項１に記載の消火器。
【請求項３】
前記警報発信手段が、警報音を放音する警報器である警報発信手段を有したことを特徴とする請求項１に記載の消火器。
【請求項４】
前記警報発信手段が、前記警報を無線信号で送信する送信機により構成され、この送信機からの無線信号を受信する受信機側に警報音を放音する警報器を設けてなることを特徴とする請求項１に記載の消火器。
【請求項５】
前記電源部および警報発信手段が、消火器収納箱に設けられてなることを特徴とする請求項１ないし４の何れかに記載の消火器。
【請求項６】
前記警報発信手段が携帯電話であることを特徴とする請求項１ないし３の何れかに記載の消火器。
【発明の詳細な説明】
【０００１】
【発明の属する技術分野】
本発明は消火器に関するものである。
【０００２】
【従来の技術】
一般に消火器は、消火器本体内に消化薬剤を充填し、開口部に蓋体を取り付けている。そして、この蓋体に、消化薬剤を放射させるレバー、このレバーをロックする安全栓および消化薬剤を吐出するホースを装着している。
この消火器を使用するときは、火事の起こっている方向にホースを向け、安全栓を抜いてからレバーを把持すると、加圧ガスボンベ又は加圧本体が開放されて消化薬剤がホースから放射されるようになっている。
【０００３】
【発明が解決しようとする課題】
ところで、このような従来の消火器は、火災の鎮火に使用することを主目的にしているため、消火器を設置した場所で火災や事故・事件等が発生したときに近隣へ知らせるには大声で叫ぶ外なく、より多くの人々に異常と緊急性を知らせるには一定の限界があった。
また最近の犯罪の増加にもかかわらず、従来、家庭等においては事故・事件等を簡易に通報したり近隣に一斉に知らせる手段はもっていないのが通常である。かといって、とっさのときに大声を出そうとしてもなかなか出せるものではない。
本発明は、上記のような課題を解決するためになされたもので、火災や事故・事件等を発見したときに、近隣や遠隔地に安全栓を抜くことにより異常をより早く報知することができる消火器を提供することを目的としている。
【０００４】
【課題を解決するための手段】
上記目的を達成するため、本発明のうち請求項１に記載の発明は、消火器に、電源部と、この電源部に接続されたスイッチと、このスイッチのオン時に警報を発する警報発信手段とを設けてなることを特徴としている。
また、請求項２に記載の発明は、前記スイッチが、消火薬剤を放射させるレバー用のロックを解除する安全栓側に取り付けられ、この安全栓を抜いたときに前記スイッチがオンになる警報発信手段を有することことを特徴としている。
また、請求項３に記載の発明は、前記警報発信手段が、警報音を放音する警報器であることを特徴としている。
また、請求項４に記載の発明は、前記警報発信手段が、警報を無線信号で送信する送信機により構成され、この送信機からの無線信号を受信する受信機側に警報音を放音する警報器を設けてなることを特徴としている。
また、請求項５に記載の発明は、前記電源部および発信手段が、消火器収納箱に設けられてなる警報発信手段を有することを特徴としている。
また、請求項６に記載の発明は、前記警報発信手段が携帯電話であることを特徴としている。
【０００５】
【発明の実施の形態】
以下、本発明の実施の形態について、図示例を参照しながら説明する。
図１は、本発明の実施の形態に係る消火器を示す正面図、図２は消火器の安全栓にスイッチを設けた状態を示す部分断面図である。
この消火器１は警報発信手段を有しており、一般普及型の消火器に適用されたもので、消火器本体２に装着したケース９内に電池１４や発信機１６を収納し、安全栓６側にスイッチ１１を取り付けた構成になっている。
消火器１は、消火器本体２内に消化薬剤を充填し、開口部に蓋体３を取り付けている。そして、この蓋体３には、支持部材４が一体的に形成されている。この支持部材４は、レバー５、安全栓６およびホース７を支持するものである。
【０００６】
この支持部材４には、固定レバー５ｂが固着されており、固定レバー５ｂの先端には、支持ピン４ａを挿入して可動レバー５ａが回動可能に枢支されている。固定レバー５ｂと可動レバー５ａとの間には、支え部材８が取り付けられている。支え部材８は、固定レバー５ｂに枢支軸８ａによって傾倒可能に取り付けられている。
安全栓６には、下方に止めピン６ａが突設され、可動レバー５ａの挿通穴５ｃ及び支え部材８のピン保持孔８ｂを貫通して挿入可能に構成されている。安全栓６には止めピン６ａと並んで抜けとめ部６ｃが形成されており、抜けとめ部６ｃの側面に形成された凹部６ｄと、可動レバー５ａの内側起立片５ｄに形成された凸部５ｅとが係合して抜け止め作用を奏する。
安全栓６が、可動レバー５ａに形成された挿通穴５ｃから前記ピン保持孔８ｂに挿入保持されると、可動レバー５ａの把持を不可能にするロックがなされる。一方、図３のように安全栓６を引き抜くと、前記ピン保持孔８ｂに挿通された止めピン６ａが抜けて、可動レバー５ａのロック状態が解除され把持可能となる。なお、ホース７は、支持部材４に形成された開口部に連結されている。
【０００７】
スイッチ１１は、安全栓６に連動してＯＮ，ＯＦＦするように構成されており、例えば固定部材１２と可動部材１３からなり、接点１２ａ，１３ａを設けている。そして、両部材１２，１３が対向するように、間隔をあけて取り付けている。可動部材１３は、安全栓６の抜け止め部６ｃによって押し下げ可能な位置に配置され、安全栓６を取り付けたときには可動部材１３が押し下げられて接点１２ａから接点１３ａが離され、安全栓６が抜かれたときには可動部材１３が弾性により復帰し接点１２ａ，１３ａが閉じる。
なお、固定部材１２，可動部材１３には、ケース９側から消火器本体２に沿って配線されたリード線１０が接続されている。
このように形成されたスイッチ１１は、安全栓６をピン保持孔８ｂに挿入保持するとき、抜け止め部６ｃによって可動部材１３を押し下げ、両接点１２ａ，１３ａを離隔させて絶縁することによりオフ状態とする。そして、安全栓６を抜いたとき、可動部材１３の弾性力により両接点１２ａ，１３ａが接してオン状態となる。
【０００８】
ケース９は、電池１４、発信機１６およびブザーを収納可能なサイズに絶縁材で形成されている。そして、消火器本体２の外周面２ａにホルダーで固着されている。ケース９は蓋３の内部空間によって構成してもよく、同様の構造をコンパクトにして蓋部３内に一体化してもよい。
電池１４は、充電式を用いているが、乾電池１４でもよい。また、発信機１６は、送信回路を内蔵したものであり、アンテナ１６ａを備えている。このアンテナ１６ａは、ケース９内に収納されている。
ブザー１５は、高音を発する普及型であるが、ベルやチャイムの他、ピーポーといったアラーム音を発する警報器でもよい。また、この警報器は、疑似音声を放音するタイプでもよく携帯電話に連動してもよい。
なお、消火器１を専用収納箱に収納する場合は、前記ケース９を消火器収納箱に保持し、リード線１０で外部のスイッチ１１と接続する構成としてもよい。
【０００９】
図４は、消火器の警報発信機を示す電気回路図である。
同図において、１４は電池であり、正極側にリード線１０を介してスイッチ１１の一端が接続されている。
また、このスイッチ１１の他端には、発信機１６およびブザー１５の各入力端が接続され、各他端は電池１４の負極側にそれぞれ接続されている。
なお、図示省略しているが、発信機１６からの無線信号を受信する受信機を備えている。この受信機には、前述と同様のブザーが接続されている。このブザーに代えて前記警報器を接続する構成としてもよく、携帯電話に連絡可能にしてもよい。
この受信機およびブザーは、異常の通報に最も適した場所に設置している。一般家屋では、天井、壁面、玄関等が好適であるが、インターホンに接続してもよい。また、集合住宅では、管理室に設けられ、オフィスビル等では防災センターに設置される。さらに、警備会社、消防署および警察に設置して異常事態の発生を通知するようにしてもよい。
なお、このように遠隔地にある受信機には、消火器１の設置場所を明示しており、多数を設置してある場合でも、管理を容易にしている。
【００１０】
次に、上記警報発信手段を有した消火器の使用法について説明する。
火事や事故・事件等があることを発見したとき、その発見者は消火器１の安全栓６を抜き出す。すると、図３に示すように、可動部材１３の接点１３ａが接点１２ａに接触してスイッチ１１がオン状態となる。これに伴い、電池１４からブザー１５に電圧が供給されるので、ブザー１５が動作して高音を放音する。
また、発信機１６にも電圧が供給されるので、この発信機１６の送信回路が警報を意味する無線信号の発信動作を開始する。そして、この無線信号が遠隔地の受信機側で受信されると、ブザー１５が動作して高音を放音する。
これにより、近隣と遠隔地の双方にブザー音等が鳴り響くため、多くの人に緊急事態の発生を知らせることができる。
【００１１】
【発明の効果】
以上説明したように、本発明のうち請求項１に記載の発明は、スイッチをオンにすると、電源部からの供給電圧を受けて発信手段が警報を発するので、火災や事故・事件等があったときに、消火器側のスイッチ操作により近隣に異常の発生を知らせることができ、迅速に必要な対応が可能となる効果がある。
しかも、ほとんどの家庭において備えられている消火器が防犯上の通報をするのに使用できることにより、別途防犯や警報等の通報装置を備える必要がなくなる。
さらに、消火器のスイッチをオンすることで警報を行えるので、とっさの場合においても大声を出すことなく対処でき、声の小さい人でも対処可能になるものである。
また、請求項２に記載の発明は、消火薬剤を放射させるレバー用の安全栓を抜いただけでスイッチがオンになるので、一般家庭にある消火器が事故や事件等の警報手段として効果を発揮する。しかも火災の場合は火災の発見を知らせると同時に消火活動に専念できる利点がある。
また、請求項３に記載の発明は、警報発信手段が警報音を放音する警報器であるから、従来のように大声で叫ぶ必要なく火災や事故・事件の発生を近隣に知らせることができる利点がある。
また、請求項４に記載の発明は、警報発信手段が警報を無線信号で送信する送信機により構成され、この送信機からの無線信号を受信する受信機側に警報音を放音する警報器を設けているので、火災や事故・事件の発生を離れた場所に知らせることができ目撃者を増やす利点がある。
また、請求項５に記載の発明は、電源部および警報発信手段が消火器収納箱に設けられているので、構成が簡単であり容易に製作できる利点がある。
さらに、請求項６に記載の発明は、警報を携帯電話にも連絡可能にするので遠隔に居る人にも事故や事件を即座に伝えることができる効果がる。
【図面の簡単な説明】
【図１】本発明の実施の形態に係る警報発信手段を有した消火器を示す正面図である。
【図２】消火器の安全栓によってＯＮ，ＯＦＦされるスイッチを設けた状態を示す部分断面図である。
【図３】安全栓を抜いたときにスイッチがオンした状態を示す部分断面図である。
【図４】消火器の警報発信機を示す電気回路図である。
【符号の説明】
１１  スイッチ
１４  電源部
１５  負極側
１６  発信手段
【図１】
2004351047.tif 000003
【図２】
2004351047.tif 000004
【図３】
2004351047.tif 000005
【図４】
2004351047.tif 000006